(57)【要約】【課題】ドアの施錠状態および解錠状態を切替えるアクチュエータを備えるロック装置と、アクチュエータを作動させる無線信号を送信し得る送信機とを備える施・解錠装置において、コストおよび取付け工数の増大を回避しつつ携帯電話によっても施・解錠を切替え可能とする。【解決手段】中継器９が、携帯電話８からの信号を受信するのに応じて送信機６から送信される無線信号と同一方式の無線信号を送信する。【選択図】        図１
2018040163.tif 000002
【特許請求の範囲】
【請求項１】
ドア（Ｄ）の施錠状態および解錠状態を切替えるアクチュエータ（１２）を備えるロック装置（７）と、前記アクチュエータ（１２）を作動させる無線信号を送信し得る送信機（６）とを備える施・解錠装置において、携帯電話（８）からの信号を受信するのに応じて前記送信機（６）から送信される無線信号と同一方式の無線信号を送信する中継器（９）を含むことを特徴とする施・解錠装置。
【請求項２】
前記携帯電話がスマートフォン（８）であり、当該スマートフォン（８）および前記中継器（９）間の無線信号がブルートゥース（登録商標）方式によるものであることを特徴とする請求項１に記載の施・解錠装置。
【請求項３】
前記ロック装置（７）および前記中継器（９）が、住宅（５）に取付けられることを特徴とする請求項１または２に記載の施・解錠装置。
【請求項４】
前記ロック装置（７）および前記中継器（９）が、車両に取付けられることを特徴とする請求項１または２に記載の施・解錠装置。
【発明の詳細な説明】
【技術分野】
【０００１】
本発明は、ドアの施錠状態および解錠状態を切替えるアクチュエータを備えるロック装置と、前記アクチュエータを作動させる無線信号を送信し得る送信機とを備える施・解錠装置に関する。
【背景技術】
【０００２】
携帯可能な送信機からの無線信号送信により、ロック装置のアクチュエータが作動して、住宅用のドアの施錠状態および解錠状態を自動的に切替えるようにした施・解錠装置が、特許文献１で知られている。
【先行技術文献】
【特許文献】
【０００３】
【特許文献１】特開２０１５−１７５２０５号公報
【発明の概要】
【発明が解決しようとする課題】
【０００４】
上記特許文献１で開示されたものでは、携帯可能な送信機から送信される特定の信号によってロック装置のアクチュエータが作動するのであるが、携帯電話によってもアクチュエータが作動するようにできれば便利である。しかし、携帯電話でも施・解錠を切替えることができるようにするために、そのような機能を持ったロック装置に取り替えるようにすると、相当なコストと取付け工数を要することになる。
【０００５】
本発明は、かかる事情に鑑みてなされたものであり、コストおよび取付け工数の増大を回避しつつ携帯電話によっても施・解錠を切替え可能とした施・解錠装置を提供することを目的とする。
【課題を解決するための手段】
【０００６】
上記目的を達成するために、本発明は、ドアの施錠状態および解錠状態を切替えるアクチュエータを備えるロック装置と、前記アクチュエータを作動させる無線信号を送信し得る送信機とを備える施・解錠装置において、携帯電話からの信号を受信するのに応じて前記送信機から送信される無線信号と同一方式の無線信号を送信する中継器を含むことを第１の特徴とする。
【０００７】
本発明は、第１の特徴の構成に加えて、前記携帯電話がスマートフォンであり、当該スマートフォンおよび前記中継器間の無線信号がブルートゥース（登録商標）方式によるものであることを第２の特徴とする。
【０００８】
本発明は、第１または第２の特徴の構成に加えて、前記ロック装置および前記中継器が、住宅に取付けられることを第３の特徴とする。
【０００９】
本発明は、第１または第２の特徴の構成に加えて、前記ロック装置および前記中継器が、車両に取付けられることを第４の特徴とする。
【発明の効果】
【００１０】
本発明の第１の特徴によれば、ロック装置の施錠および解錠状態を切替えるための信号を携帯電話から送信すると、その信号を受信した中継器が、ロック装置専用の送信機と同一方式の無線信号を送信し、それによってロック装置のアクチュエータが作動することになる。したがって携帯電話に対応した機能を持った専用のロック装置に取り替えることなく、中継器を追加するだけで、携帯電話によってロック装置の施・解錠を切替えることが可能であり、コストおよび工数の増加を回避しつつ利便性を高めることができる。しかも１つのロック装置に対して複数の利用者がいる場合でも送信機を追加購入する必要がない。
【００１１】
また本発明の第２の特徴によれば、ブルートゥース（登録商標）方式を利用し得るスマートフォンに施・解錠アプリを入れるだけで、送信機による施・解錠が切替え可能な既存のロック装置の施・解錠をスマートフォンで切替えることが可能となる。
【００１２】
本発明の第３の特徴によれば、住宅用ドアの施・解錠を携帯電話で切替えることができる。
【００１３】
さらに本発明の第４の特徴によれば、車両に設けられる車両用ドア等の開閉体の施・解錠を携帯電話で切替えることができる。
【図面の簡単な説明】
【００１４】
【図１】施・解錠装置の概略図である。
【図２】施・解錠装置の構成を示すブロック図である。
【発明を実施するための形態】
【００１５】
本発明の実施の形態について図１および図２を参照しながら説明すると、先ず図１において、たとえば住宅５用のドアＤには、携帯可能な送信機６からのＵＨＦ（Ｕｌｔｒａ  Ｈｉｇｈ  Ｆｒｅｑｕｅｎｃｙ）方式の無線信号の送信に応じて施錠状態および解錠状態を切り替えるように作動するロック装置７が設けられる。また前記ドアＤを含む前記住宅５には、前記ドアＤを利用する人が携帯する携帯電話としてのスマートフォン８から送信される信号を受信して前記送信機６からの無線信号と同一方式すなわちＵＨＦ方式の無線信号を前記ロック装置７に向けて送信する中継器９が取付けられており、この中継器９からの信号を受けても前記ロック装置７は施錠状態および解錠状態を切り替えるように作動する。しかも前記スマートフォン８および前記中継器９間ではブルートゥース（Ｂｌｕｅｔｏｏｔｈ（登録商標））方式による信号の授受が行なわれる。
【００１６】
図２を併せて参照して、前記ロック装置７は、ＵＨＦ方式の無線信号を受信するアンテナ１０と、該アンテナ１０からの信号を受信する受信部１１と、ドアＤの施錠状態および解除状態を切替えるように作動するアクチュエータ１２と、前記受信部１１で受けた信号に応じて前記アクチュエータ１２の作動を制御するアクチュエータ制御部１３とを備える。
【００１７】
また前記中継器９は、前記スマートフォン８との間でブルートゥース方式による無線信号の受信および送信を行なうアンテナ１５と、該アンテナ１５との間で信号の授受を行なう送・受信部１６と、前記ロック装置７の前記アンテナ１０にＵＨＦ方式の無線信号を送信するアンテナ１８と、そのアンテナ１８に送信信号を送る送信部１７と、前記送・受信部１６で受信した信号に基づいて前記送信部１７からの送信信号を定める送・受信制御部１９と、ログを蓄積するようにして前記送・受信制御部１９に接続されるメモリ２０とを備える。
【００１８】
この中継器９用の電力を得るために、乾電池が前記中継器９に内蔵されるようにしてもよく、また家庭用電源にＡＣアダプターを介して接続されるようにしてもよい。
【００１９】
次にこの実施の形態の作用について説明すると、住宅５のドアＤの施錠状態および解錠状態を切替えるロック装置７が備えるアクチュエータ１２は、送信機６からのＵＨＦ方式の無線信号の送信に応じて作動するとともに、スマートフォン８からの信号を受信するのに応じて中継器９が前記送信機６から送信される無線信号と同一方式の無線信号を送信するのに応じても作動する。したがってスマートフォン８に対応した機能を持った専用のロック装置に取り替えることなく、中継器９を追加するだけで、スマートフォン８によってロック装置７の施・解錠を切替えることが可能であり、コストおよび工数の増加を回避しつつ利便性を高めることができる。しかも１つのロック装置７に対して複数の利用者がいる場合でも送信機を追加購入する必要がない。
【００２０】
またスマートフォン８および前記中継器９間の無線信号がブルートゥース方式によるものであるので、ブルートゥース方式を利用し得るスマートフォン８に施・解錠アプリを入れるだけで、送信機６による施・解錠が切替え可能な既存のロック装置７の施・解錠をスマートフォン８で切替えることができる。
【００２１】
さらに前記ロック装置７および前記中継器９が、住宅５に取付けられるので、住宅５用のドアＤの施・解錠をスマートフォン８等の携帯電話で切替えることができる。
【００２２】
本発明の他の実施の形態として、前記ロック装置７および前記中継器９が、車両に取付けられるものであってもよく、そうすれば、車両に設けられる車両用ドア等の開閉体の施・解錠をスマートフォン８等の携帯電話で切替えることができる。
【００２３】
この場合、中継器９に供給される電力を、前記中継器９び内蔵される乾電池から得るようにしてもよく、また車両に装備されるシガーソケットから得るようにしてもよい。
【００２４】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００２５】
５・・・住宅
６・・・送信機
７・・・ロック装置
８・・・携帯電話であるスマートフォン
９・・・中継器
１２・・・アクチュエータ
Ｄ・・・ドア
【図１】
2018040163.tif 000003
【図２】
2018040163.tif 000004